(57)【要約】      （修正有）【課題】従来の広告の張替作業、及び書き換え作業等の変更の手間を解決したモバイルパネルの車両における車外又は車外と車内との広告看板を提供する。【解決手段】広告看板１に張設されているモバイルパネル２を車両等の外側の側面に装着し、モバイルパネル２に対して、外部から送信された映像をモバイルパネル２に内蔵する携帯電話機能装置３に映像を受信させ、車外の人々も映像を視認できる。また、容易に瞬時に広告デザインを変更してモバイルパネル２に映像表示を可能とする。【選択図】図１
0003143274.tif 000002
【実用新案登録請求の範囲】
【請求項１】
広告看板（１）は、各種の形状より形成されると共に、外周には外枠（４）を有し、該外枠（４）の内部には、該広告看板（１）に映像を映すモバイルパネル（２）を配設し、該モバイルパネル（２）には、内部に携帯電話機能装置（３）を装着し、且つ該外枠（４）には、電気接続装置（５）を装設し、該モバイルパネル（２）を車両の車外に装着した事を特徴とするモバイルパネルにおける車両の車外広告看板。
【請求項２】
広告看板（１）は、各種の形状より形成されると共に、外周には外枠（４）を形成し、該外枠（４）の内部には、該広告看板（１）に映像を映すモバイルパネル（２）を配設し、該モバイルパネル（２）には、内部に携帯電話機能装置（３）を装設し、該モバイルパネル（２）を車両の車外及び車内に装着した事を特徴とするモバイルパネルにおける車両の車外広告看板及び車内広告看板。
【考案の詳細な説明】
【技術分野】
【０００１】  本考案は、現在各種のバス、列車等に装設されている一般の中吊り広告に代えて、モバイルパネルを車内及び車外に設置して市内を運行して一般の通行人に広告宣伝を行うもので、その該モバイルパネルに携帯電話機能装置と電気接続装置を内蔵して外部から広告、看板用の映像を送信するモバイルパネルにおける車両の車外広告看板並びに車外及び車内の広告看板に関するものである。
【背景技術】
【０００２】  一般にこの種の車両における車外、車内に提示している現在の中吊り及び車外の側面広告は、例えば広告ポスターを変更する場合には、多大の時間と面倒な作業及び変更には工賃が充分掛かり、広告の張替え又は書き換え等の作業は大変に時間が掛かるものである。また、広告等のポスターは１社のみで簡単容易に広告の変更が出来ない等の不便や、各種の面倒な問題点がある。
【考案の開示】
【考案が解決しようとする課題】
【０００３】  本考案は、上記従来の欠点を解決するもので、その目的とする所は、広告看板のモバイルパネルの変更に対して、外部からの映像送信により車外又は車内に設置された該モバイルパネルに対し、広告看板のデザインを瞬時に送信する事によって、該モバイルパネルに広告用の映像を映し出させて、従来の広告の張替作業、及び書き換え作業等の変更の手間を解決したモバイルパネルの車両における車外又は車外と車内との広告看板を提供するものである。
【課題を解決するための手段】
【０００４】  上記目的を達成するために、本考案の広告看板は、車両の車外に装設され、各種の形状に形成し、該広告看板には、外周に外枠と、外周の内部に広告看板に映像を映すモバイルパネルを配設する。該モバイルパネルには、内部に携帯電話機能装置を装設する。また該外枠の外周には、所定位置に電気接続装置を装設してある。
また、同様の目的で、車両における車外と車内との両方にモバイルパネルを配設し、且つ該モバイルパネルには、携帯電話機能装置と電力差込用となる電気接続装置を装設したものである。
【考案の効果】
【０００５】  本考案は、上記の通り構成されているので、下記の効果を奏するものである。
請求項１における、モバイルパネルを車両の車外に装設したことにより、従来の車両の車外に広告看板を張設したものでは、広告ポスターを変更する時は、相当の時間が掛かり、張替えは大変な作業である欠点があるが、本考案のものは、瞬時に電波送信によって変更できる効果と、車外の１ヶ所の広告看板においても相当数の広告デザインの掲載が可能となる便利な効果がある。そして、広告看板は、各種の形状に形成できるので大変便利であると共に、モバイルパネルの内部に設けた携帯電話機能装置は、容易に収納が可能で便利である効果がある。更に、外枠の所定位置に設ける通電のための電気接続装置は、外枠の内部に収納も可能となる効果もある。
次に、請求項２における、該モバイルパネルを車両の車外及び車内に装設した事により、車内と車外に対して瞬時に電波送信による相当数の広告デザインの宣伝広告が容易に変更出来る便利な効果がある。
また、変更が容易なため広告収入が著しく増加し、従って掲載画面を変更することによって人間の見る視認性を高め、広告効果を著しく高めることが出来る効果がある。
【考案を実施するための最良の形態】
【０００６】  以上の本考案の最良の用法を説明すると、広告看板（１）に張設されているモバイルパネル（２）を車両等の外側の側面に装着し、該モバイルパネル（２）に対して、外部から送信された映像を該モバイルパネル（２）に内蔵する携帯電話機能装置（３）に映像を受信させ、車外の人々も映像を視認できる。また、容易に瞬時に広告デザインを変更して該モバイルパネル（２）に映像表示を可能とするようにしたものである。
更に、車両等の車外と車内とに、各々の個所に該モバイルパネル（２）（２）を装設することによって、車外の場合は、車両が走行しながら携帯電話機能装置（３）によって映像を受信させ、１ヶ所においても相当数の広告デザインの掲載が可能となると共に、車内側のモバイルパネル（２）によって、順次映像を受信した広告デザインを透視することが出来る。また、１台の車両の車外、車内にモバイルパネルを設置するので、簡単容易な設備を以って広告デザインの映像表示を有効に可能とすることが出来る。
【実施例】
【０００７】  本考案の実施例を図面について説明すると、図１に示すものは、モバイルパネルのような広告看板（１）を示し、バス、列車等の車両の車外及び車内の広告、宣伝に供するものであって、該広告看板（１）は、各種の大小の方形状に形成され、該広告看板（１）には、外周に補強用の外枠（４）（４）を枠組し、該外枠（４）（４）の内部には、該広告看板（１）の映像を映すモバイルパネル（２）を配設する。該モバイルパネル（２）の画像表示装置としては、モニター、液晶パネル又はＬＥＤ版を使用する。
且つ、該モバイルパネル（２）には、内部に携帯電話機能装置（３）を所定位置に内蔵させる。また、該外枠（４）の所定位置には、外部よりの通電のための引き込みの役目を果す電気接続装置（５）を配設してある。
次に、図２に示される実施例ものは、バス等の車両（６）を示し、その車両（６）の車外の側面（７）に該広告看板（１）のモバイルパネル（２）を装設し、該モバイルパネル（２）に広告用の映像を外部から車外に受信させ映像を映すものである。当然に車内に設置した該モバイルパネル（２）に外部から別個又は同時に送信して受信させる事も出来るものである。なお、符号（８）はドアーである。
【図面の簡単な説明】
【０００８】
【図１】  本考案のモバイルパネルを車両の車外、車内に装設する広告看板の正面図である。
【図２】  同じく本考案の車両の側面にモバイルパネルを装着して走行する状態を示す側面図である。
【符号の説明】
【０００９】１          広告看板
２          モバイルパネル
３          携帯電話機能装置
４          外枠
５          電気接続装置
６          車両
７          側面
８          ドアー
【図１】
0003143274.tif 000003
【図２】
0003143274.tif 000004